(57)【要約】【課題】画像データを取り込む情報処理装置がネットワークスキャナの近くになくてよいし、読み取った画像データの整理を読み取り時点で行える画像入力システムを提供する。【解決手段】画像データを読み取り、その画像データを情報処理装置へ送信できるネットワークスキャナを有した画像入力システムにおいて、情報処理装置では、ネットワークスキャナによる画像入力時の情報処理装置における操作情報をネットワークスキャナへ送信し、ネットワークスキャナでは、転送プロトコル制御モジュール２４が前記操作情報を受け取り、表示制御モジュール２８がその操作情報を用いて操作画面を表示し、操作制御モジュール２６とユーザーＩＦ制御モジュール２７が操作画面によった操作入力を行わせることで、ネットワークを介した情報処理装置における画像入力操作を行わせ、その操作に基づいて読み取られた画像データを転送プロトコル制御モジュール２４が前記情報処理装置へ送信する構成にした。【選択図】      図７
2004214719.tif 000002
【特許請求の範囲】
【請求項１】
原稿上の画像を読み取る画像読み取り手段と、読み取られた画像データをネットワークを介して情報処理装置へ送信する送信手段とを備えたネットワークスキャナを有した画像入力システムにおいて、前記情報処理装置内に、前記ネットワークスキャナによった画像入力の際の、その情報処理装置における操作情報を前記ネットワークスキャナへ送信する操作情報送信手段を備え、前記ネットワークスキャナ内に、送られてきた前記操作情報を用いることによりネットワークを介して前記情報処理装置における画像入力操作をおこなう操作手段と、その操作手段による操作に基づいて読み取られた画像データを前記情報処理装置へ送信する画像送信手段と、を備えたことを特徴とする画像入力システム。
【請求項２】
請求項１記載の画像入力システムにおいて、前記ネットワークスキャナ内に、前記操作情報の一つとして操作画面データを取得し、その操作画面データによった表示をおこなう表示手段を備えたことを特徴とする画像入力システム。
【請求項３】
請求項２記載の画像入力システムにおいて、前記操作画面データが、前記情報処理装置に表示される表示画面の画像データであることを特徴とする画像入力システム。
【請求項４】
請求項１または請求項２記載の画像入力システムにおいて、ネットワークスキャナ内に、前記操作手段によりネットワークを介して情報処理装置における画像入力操作をおこなう際に、その情報処理装置へ送信する情報を情報処理装置のデータ形式に変換する情報変換手段を備えたことを特徴とする画像入力システム。
【請求項５】
請求項１、請求項２、または請求項４記載の画像入力システムにおいて、前記ネットワークスキャナと前記情報処理装置との間の転送プロトコルがＸサーバーで用いているリモート端末用プロトコルであることを特徴とする画像入力システム。
【請求項６】
請求項１、請求項２、または請求項４記載の画像入力システムにおいて、前記ネットワークスキャナ内に、前記情報処理装置をＷｅｂサーバーとするＷｅｂブラウザを備え、前記操作手段はそのＷｅｂブラウザを用いて前記情報処理装置における画像入力操作をおこなう構成にしたことを特徴とする画像入力システム。
【請求項７】
請求項１、請求項２、請求項４、または請求項６記載の画像入力システムにおいて、前記ネットワークスキャナと前記情報処理装置との間の転送プロトコルがＨＴＴＰであり、前記操作情報がＸＭＬデータであり、前記情報変換手段はＸＳＬＴにより変換をおこなう構成にしたことを特徴とする画像入力システム。
【請求項８】
請求項１または請求項２記載の画像入力システムにおいて、前記ネットワークスキャナ内に、前記情報処理装置からその情報処理装置のディレクトリ構成を取得するディレクトリ取得手段を備え、前記表示手段がそのディレクトリ取得手段により取得されたディレクトリ構成を表示し、そのディレクトリ構成のなかから入力する画像データを格納するディレクトリを指定させる構成にしたことを特徴とする画像入力システム。
【請求項９】
請求項８記載の画像入力システムにおいて、前記ネットワークスキャナと前記情報処理装置との間の転送プロトコルがＦＴＰであり、そのＦＴＰで規定されているコマンドを用いて順次、より下位の層のディレクトリ一覧を取得する構成にしたことを特徴とする画像入力システム。
【発明の詳細な説明】
【０００１】
【発明の属する技術分野】
本発明は、ＬＡＮなどネットワークに接続された共用のネットワークスキャナから原稿上の画像を読み取り、同様にネットワークに接続されたパーソナルコンピュータなど情報処理装置へ画像データを入力する画像入力システムに関する。
【０００２】
【従来の技術】
主として比較的規模の大きい事業所などにおいて、ＬＡＮ（ローカルエリアネットワーク）と呼ばれているネットワークが広く普及している。このＬＡＮを用いたシステムにはパーソナルコンピュータなど情報処理装置が多数接続され、広域ネットワークにも接続されているＬＡＮを介して、その情報処理装置からは他の事業所などの個人ベースの情報処理装置と電子メールを交換することができる。
また、ＬＡＮには、そのような情報処理装置により共用されるプリンタやネットワークスキャナも接続されており、それらを用いて、情報処理装置からプリンタへ画像などを出力したり、原稿上の画像を読み取って情報処理装置へ入力したりすることができる。ネットワークスキャナによる画像入力では、メールボックス方式やネットワークＴＷＡＩＮ方式により情報処理装置へ画像を入力する。
【０００３】
前記した画像入力方式のうち、メールボックス方式では、読み取った画像データをメールサーバー上の各個人のメールボックス内へ転送し、その画像データを利用する場合は、その画像データを電子メールの添付ファイルとしてメールボックスから自分の情報処理装置へ取り込み、それを自分の管理するフォルダへコピーする。例えば、特開２０００−２４４６９４公報に示された従来技術では、原稿上の画像を読み取ったり紙上へプリント出力したりできる画像処理装置をネットワークに接続し、その画像処理装置を用いて画像を読み取り、読み取った画像データをネットワークを介してサーバーへ転送する際、そのときおよび予め登録したユーザ識別情報、パスワード、メールアドレス、転送先アドレスを用いて、転送先のサーバー内に当該個人のメールボックスを自動的に生成し、そのメールボックスを用いて情報処理装置へ画像データを入力する。
一方、ネットワークＴＷＡＩＮ方式では、ネットワークに接続されたネットワークスキャナをネットワークに接続された情報処理装置から操作する。この場合、読み取られた画像データは情報処理装置内のフォルダに直接転送されるので、読み取った画像データの整理を読み取った時点でおこなうことができる。
また、特開２００１−４５１９７公報に示された従来技術では、予め文書種別と転送先アドレスを対応づけてネットワークスキャナ内に登録しておき、画像入力時、読み取った文書の種別を識別し、その文書を、識別した文書種別に対応づけられている転送先アドレスへ転送する。
【特許文献１】特開２０００−２４４６９４公報
【特許文献２】特開２００１−４５１９７公報
【０００４】
【発明が解決しようとする課題】
しかしながら、特開２０００−２４４６９４公報に示された従来技術を含め、前記したメールボックス方式の従来技術においては、読み取った画像データの整理を読み取った時点でおこなえない不便がある。なお、特開２００１−４５１９７公報に示された従来技術の場合、自分の情報処理装置へ転送することはできるが、所望のフォルダに転送できないので、メールボックス方式と同様の問題がある。また、ネットワークＴＷＡＩＮ方式では、読み取った画像データの整理を読み取った時点でおこなうことはできるが、原稿の操作は必ずネットワークスキャナ上でおこなわなければならないので、情報処理装置はネットワークスキャナから離せないという不便がある。
本発明の目的は、このような従来技術の問題を解決することにあり、具体的には、画像データを取り込む情報処理装置の位置がネットワークスキャナの近くでなくてはならないという位置の制約がなく、且つ、読み取った画像データの整理を読み取った時点でおこなうことができる画像入力システムを提供することにある。
【０００５】
【課題を解決するための手段】
前記の課題を解決するために、請求項１記載の発明では、原稿上の画像を読み取る画像読み取り手段と、読み取られた画像データをネットワークを介して情報処理装置へ送信する送信手段とを備えたネットワークスキャナを有した画像入力システムにおいて、前記情報処理装置内に、前記ネットワークスキャナによった画像入力の際の、その情報処理装置における操作情報を前記ネットワークスキャナへ送信する操作情報送信手段を備え、ネットワークスキャナ内に、送られてきた前記操作情報を用いることによりネットワークを介して前記情報処理装置における画像入力操作をおこなう操作手段と、その操作手段による操作に基づいて読み取られた画像データを前記情報処理装置へ送信する画像送信手段とを備えた。また、請求項２記載の発明では、請求項１記載の発明において、ネットワークスキャナ内に、前記操作情報のひとつとして操作画面データを取得し、その操作画面データによった表示をおこなう表示手段を備えた。
また、請求項３記載の発明では、請求項２記載の発明において、前記操作画面データが、前記情報処理装置に表示される表示画面の画像データである構成にした。
また、請求項４記載の発明では、請求項１または請求項２記載の発明において、ネットワークスキャナ内に、前記操作手段によりネットワークを介して情報処理装置における画像入力操作をおこなう際にその情報処理装置へ送信する情報を情報処理装置のデータ形式に変換する情報変換手段を備えた。
【０００６】
また、請求項５記載の発明では、請求項１、請求項２、または請求項４記載の発明において、前記ネットワークスキャナと前記情報処理装置との間の転送プロトコルがＸサーバーで用いているリモート端末用プロトコルである構成にした。また、請求項６記載の発明では、請求項１、請求項２、または請求項４記載の発明において、前記ネットワークスキャナ内に、前記情報処理装置をＷｅｂサーバーとするＷｅｂブラウザを備え、前記操作手段はそのＷｅｂブラウザを用いて前記情報処理装置における画像入力操作をおこなう構成にした。
また、請求項７記載の発明では、請求項１、請求項２、請求項４、または請求項６記載の発明において、前記ネットワークスキャナと前記情報処理装置との間の転送プロトコルがＨＴＴＰであり、前記操作情報がＸＭＬデータであり、前記情報変換手段はＸＳＬＴにより変換をおこなう構成にした。
また、請求項８記載の発明では、請求項１または請求項２記載の発明において、前記ネットワークスキャナ内に、前記情報処理装置からその情報処理装置のディレクトリ構成を取得するディレクトリ取得手段を備え、前記表示手段がそのディレクトリ取得手段により取得されたディレクトリ構成を表示し、そのディレクトリ構成のなかから入力する画像データを格納するディレクトリを指定させる構成にした。
また、請求項９記載の発明では、請求項８記載の発明において、前記ネットワークスキャナと前記情報処理装置との間の転送プロトコルがＦＴＰであり、そのＦＴＰで規定されているコマンドを用いて順次、より下位の層のディレクトリ一覧を取得する構成にした。
【０００７】
【発明の実施の形態】
以下、図面により本発明の実施の形態を詳細に説明する。
図１は本発明によった画像入力システムが構築されるネットワーク環境の説明図である。図示したように、ネットワークスキャナとしても動作する複写機１が、ネットワークを介し、複数のクライアントＰＣ（情報処理装置であるパーソナルコンピュータ）２、メールサーバー３、文書管理サーバー４などと接続されていて、複写機１はメールボックス方式のネットワークスキャナとしても動作する。この場合、利用者は例えばアドレス帳を使用して読み取り前に転送先アドレスを選択する。そして、読み取った画像データを一旦文書管理サーバー４へ転送する。そのとき、利用者が指定したアドレス帳の転送先アドレス情報も同時に転送する。これにより、文書管理サーバー４は複写機１から受け取った画像データをエンコードし、前記転送先アドレスを指定して、ＳＭＴＰによりメールサーバー３へ転送する。
その後、メールサーバー３は、画像付きの電子メールとしてクライアントＰＣ２へ転送する。
また、この複写機１はネットワークＴＷＡＩＮ方式のネットワークスキャナとしても動作する。この場合、図４に示したように、クライアントＰＣ２においてワークフォルダを指定し、複写機１へ直接、読み取りを要求する。そして、読み取り終了後、図５に示したように文書名などを指定すると、指定のフォルダへ読み取り画像が転送される（図６参照）。なお、この際の転送のためのプロトコルとしては、一般的なものを用いる。
以上が、ネットワーク環境として備えている既存の基本的な動作である。
このようなネットワーク環境を用いて、本発明の第１の実施例では、複写機１によった画像入力の際のクライアントＰＣ２における操作情報をクライアントＰＣ２から複写機１へ転送し、複写機１では、送られてきた操作情報を用いることによりネットワークを介してそのクライアントＰＣ２における画像入力操作をおこない、その操作に基づいて読み取られた画像データをクライアントＰＣ２へ送信する。以下、第１の実施例を詳細に説明する。
【０００８】
図２に、この実施例の複写機１要部のハードウェアブロック図を示す。図示したように、原稿上の画像を読み取るスキャナ１１、利用者が入力をおこなったり表示をしたりする操作パネル１２（図３参照）、プログラムに従って動作するＣＰＵ１３、基本的なプログラムなどを記憶したＲＯＭ１４、データやプログラムを一時的に記憶するＲＡＭ１５、前記スキャナ１１を制御する画像読み取り部１６、前記操作パネル１２を制御する操作・表示部１７、ネットワークを介した通信のための接続制御をおこなうネットワーク接続部１８などを備える。
図７に、複写機要部のプログラム（ソフトウェア）構成を示す。最上位にはこの複写機１要部の全体の制御を司るネットワークスキャナ制御モジュール２１を備え、その制御下のＴＷＡＩＮ制御モジュール２２がＴＷＡＩＮプロトコルを制御し、読み取り制御モジュール２３を制御して画像の読み取りを開始し、画像データを取得する。取得された画像データは転送プロトコル制御モジュール２４により適切なフォーマットへ変換され、その後、ネットワーク処理制御モジュール２５を介してネットワーク上のクライアントＰＣ２へ転送される。また、利用者の操作内容は操作制御モジュール２６により取得され、ユーザーＩ／Ｆ制御モジュール２７のもとで適切な解釈をされる。なお、前記転送プロトコル制御モジュール２４で用いる転送プロトコルは例えばＸサーバーで用いているリモート端末用プロトコルである。
逆に、利用者に示すべき情報は表示制御モジュール２８によって利用者に通知される。複写機１の内部情報や、ネットワークから得られた情報はこのモジュールを介して利用者に通知される。
以上説明したデータフロー（情報の流れ）を図９に矢印で示す。なお、この実施例では、請求項１記載の画像読み取り手段がスキャナ１１、画像読み取り部１６、読み取り制御モジュール２３により実現され、送信手段および画像送信手段がネットワーク接続部１８、転送プロトコル制御モジュール２４、およびネットワーク処理制御モジュール２５により実現され、操作手段が操作パネル１２、操作・表示部１７、操作制御モジュール２６、ユーザーＩ／Ｆ制御モジュール２７、および表示制御モジュール２８により実現され、請求項２記載の表示手段が操作パネル１２、操作・表示部１７、ユーザーＩ／Ｆ制御モジュール２７、および表示制御モジュール２８により実現される。
【０００９】
図８に、この実施例の制御フローを示す。以下、その制御フローを説明する。まず、複写機１側で、利用者（ユーザー）の操作に従い、画像転送先のクライアントＰＣ２をリモート操作端末装置として接続する。これにより、クライアントＰＣ内の操作情報送信手段は操作情報としてそのクライアントＰＣ２の操作画面（制御画面）の画面データを複写機１へ送る。
続いて、この画面データを取得した複写機１では、表示制御モジュール２８に従って動作するＣＰＵ１３（以下、表示制御モジュール２８と略す、他のモジュールについても同様）がその画面データに従った画面を表示し、それを元に利用者が操作を開始する。これにより、転送プロトコル制御モジュール２４は、利用者の操作により発生した操作情報を取得し、その操作情報をそのまま接続先のクライアントＰＣ２へ転送する。そして、クライアントＰＣ２では、転送されてきた操作情報を処理する。
こうして、利用者はクライアントＰＣ上で操作する場合と同様な操作をネットワークスキャナ（この実施例では複写機１）からおこなってクライアントＰＣ２へ画像データを入力することができる。つまり、ネットワークＴＷＡＩＮ方式の操作をおこなうことができるのである。また、この際、利用者は入力した画像データを格納するディレクトリおよびファイルを前記操作画面（送られてきた操作画面）を用いて複写機側（ネットワークスキャナ側）で指定する。これにより、転送プロトコル制御モジュール２４はそのディレクトリおよびファイル名をクライアントＰＣ２へ転送する。
そして、複写機１において、前記操作画面（送られてきた操作画面）を用いて最終的に読み取り指示が利用者によりなされたとき、クライアントＰＣ２はＴＷＡＩＮプロトコルを用いて複写機１に対して読み取り要求をおこない、複写機１ではそれに応じて画像を読み取り、クライアントＰＣ２へ画像データを転送する。これにより、クライアントＰＣ２では、転送されてきた画像データを指定されたディレクトリの指定のファイルに格納する。さらに、格納した結果を複写機側の利用者へ表示情報として返す。
こうして、この実施例によれば、画像データを取り込む情報処理装置の位置がネットワークスキャナの近くでなくてはならないという位置の制約がなく、且つ、読み取った画像データの整理を読み取った時点でおこなうことができる。
【００１０】
本発明の第２の実施例では、複写機１にクライアントＰＣ２をＷｅｂサーバーとするＷｅｂブラウザを備え、そのＷｅｂブラウザを用いてクライアントＰＣ２における画像入力操作をおこなう。転送プロトコルはＨＴＴＰであり、前記操作情報はＸＭＬデータであり、送られてきた操作情報などの変換をＸＳＬＴによりおこなう。また、この実施例では、送信する情報をクライアントＰＣ２のデータ形式に変換する請求項４記載の情報変換手段がＸＳＬＴにより実現される。以下、第２の実施例について説明する。
図１０に、この実施例の複写機要部のプログラム（ソフトウェア）構成を示す。この実施例ではＷｅｂブラウザ機能を持つので、図示したように、転送プロトコルとしてＨＴＴＰを用いるＨＴＴＰ制御モジュール２９備える。また、クライアントＰＣ２側から得られる制御用データ（操作情報）はＸＭＬで記述されているので、それを解釈してＴＷＡＩＮの制御情報としたり、ユーザーＩ／Ｆ用表示情報に利用したりするためのＸＭＬ制御モジュール３０を備える。
また、ユーザーＩ／Ｆ用表示情報には画面サイズなど画面上の制約があるので、その制約に応じたスタイルシートを使ってユーザーＩ／Ｆ用表示情報に変更する必要があり、そのための変更モジュールとしてＸＳＬＴ制御モジュール３１を備える。スタイルシートは個々の複写機１に対応した内容としているので、クライアントＰＣ２から得られた操作情報は個々の複写機の制約に収まるように表現できる。例えば、図１１に示したようにフォルダを指定する画面のみを選択的に表示することも可能になる。また、利用者により入力された操作情報は逆にＸＳＬＴを利用してクライアントＰＣ側で解釈可能なＸＭＬ構文にフォーマットされ、ＨＴＴＰ制御モジュール２９を経由してクライアントＰＣ側へ転送される。
こうして、この実施例によれば、画面に制約されることなく、利用者に対してクライアントＰＣ２のリモート端末機能を提供することができる。
【００１１】
次に、図１２に示した制御フローに従って本発明の第３の実施例について説明する。なお、プログラム構成は例えば図７に示した第１の実施例と同じでよいし、転送プロトコルは例えばＦＴＰを用いる。また、この実施例では、請求項８記載のディレクトリ取得手段が転送プロトコル制御モジュール２４により実現される。
このような構成で、この実施例では、入力画像データの転送先指定に際して、図１２に示したように、利用者はまずアドレス帳を指定する。これにより、複写機１では、転送プロトコル制御モジュール２４がクライアントＰＣ２に対してディレクトリ要求を出し、クライアントＰＣ２からクライアントＰＣ２のディレクトリ一覧を取得する。必要ならばそのために認証作業が入ってもよい。そして、ディレクトリ一覧がクライアントＰＣ２から送られてくると、複写機１では、表示制御モジュール２８がそのディレクトリ一覧を画面上に表示する。このときの表示においては、第２の実施例と同様に一部分だけ表示してもよく（図１１参照）、複写機１の画面制約に従う。ここで、もし、利用者がサブディレクトリを指定したならば、そのサブディレクトリ情報をクライアントＰＣ２へ送り、再び同様な処理を繰り返して、さらに深いディレクトリ一覧を取得する。ＦＴＰで規定されているコマンドを用いて順次、より下位層のディレクトリ一覧を取得するのである。または、最初の要求時にディレクトリ一覧を全て取得するようにしてもよい。
こうして、利用者は入力画像データ転送先のクライアントＰＣ２の格納ディレクトリを指定することが可能になり、その後、入力画像の読み取り開始指示の際、転送プロトコルのなかで前記ディレクトリ一覧中から所望のディレクトリを指定させ、そのディレクトリをクライアントＰＣ２へ送る。これにより、クライアントＰＣ２では入力された画像データを指定されたディレクトリに格納する。
このように、第３の実施例によれば、クライアントＰＣ２から取得される操作のための情報はディレクトリだけで、それ以外の情報は転送されないので無駄がない。
以上、ネットワークスキャナが複写機として実現される場合で本発明の実施例を説明したが、ネットワークスキャナはプリント出力機能を持たないものであってよいのは当然である。
【００１２】
【発明の効果】
以上説明したように、本発明によれば、請求項１記載の発明では、ネットワークスキャナによった画像入力の際の情報処理装置における操作情報をその情報処理装置からネットワークスキャナへ送信し、ネットワークスキャナでは、送られてきた操作情報を用いることにより情報処理装置の画像入力操作をネットワークを介してネットワークスキャナ内でおこない、その操作に基づいてネットワークスキャナで読み取った画像データを情報処理装置へ送信することができるので、画像データを取り込む情報処理装置の位置がネットワークスキャナの近くでなくてはならないという位置の制約がなくなるし、読み取った画像データの整理を読み取った時点でおこなうことができる。
また、請求項２記載の発明では、請求項１記載の発明において、ネットワークスキャナ側で、操作情報のひとつとして情報処理装置から操作画面データを取得し、その操作画面データによった表示をおこなうことができるので、操作画面の設計をネットワークスキャナ側でおこなう手間が省ける。
また、請求項３記載の発明では、請求項２記載の発明において、操作画面データが情報処理装置に表示される表示画面の画像データであるので、情報処理装置側で操作する場合と同じ操作をネットワークスキャナ側でおこなうことができる。
また、請求項４記載の発明では、請求項１または請求項２記載の発明において、ネットワークスキャナでは、ネットワークを介して情報処理装置における画像入力操作をおこなう際、その情報処理装置へ送信する情報を情報処理装置のデータ形式に変換することができるので、情報処理装置では送られてきたデータをそのまま用いることができる。
【００１３】
また、請求項５記載の発明では、請求項１、請求項２、または請求項４記載の発明において、ネットワークスキャナと情報処理装置との間の転送プロトコルがＸサーバーで用いているリモート端末用プロトコルであるので、転送プロトコルを独自に開発する手間が省けるし、そのプロトコルを用いている多数の情報処理装置との間で容易に操作情報の転送をおこなうことができる。
また、請求項６記載の発明では、請求項１、請求項２、または請求項４記載の発明において、ネットワークスキャナでは、Ｗｅｂブラウザを用いて情報処理装置における画像入力操作をおこなうことができるので操作が容易であるし、市販のものを用いることができるので実現も容易である。
また、請求項７記載の発明では、請求項１、請求項２、請求項４、または請求項６記載の発明において、ネットワークスキャナと情報処理装置との間の転送プロトコルがＨＴＴＰであり、操作情報がＸＭＬデータであり、ＸＳＬＴにより操作情報などの変換をおこなうことができるので、転送プロトコルや変換プログラムなどを独自に開発する手間が省けるし、ＨＴＴＰやＸＭＬを用いている多数の情報処理装置との間で容易に操作情報の転送をおこなうことができるし、Ｗｅｂブラウザも容易に用いることができる。
また、請求項８記載の発明では、請求項１または請求項２記載の発明において、ネットワークスキャナでは、情報処理装置からその情報処理装置のディレクトリ構成を取得し、取得したディレクトリ構成を表示し、そのディレクトリ構成のなかから入力する画像データを格納するディレクトリを指定させることができるので、読み取った画像データを指定したディレクトリに格納することができ、したがって、ディレクトリ構成だけという無駄のない転送で請求項１記載の発明の効果を得ることができる。
また、請求項９記載の発明では、請求項８記載の発明において、ネットワークスキャナと情報処理装置との間の転送プロトコルがＦＴＰであり、そのＦＴＰで規定されているコマンドを用いて順次、より下位の層のディレクトリ一覧を取得することができるので、転送プロトコルを独自に開発する手間が省けるし、ＦＴＰを用いている多数の情報処理装置との間で必要な転送を容易におこなうことができる。
【図面の簡単な説明】
【図１】本発明の画像入力システムが実施されるネットワーク環境の説明図である。
【図２】本発明の第１の実施例を示す複写機要部のハードウェアブロック図である。
【図３】本発明の第１の実施例を示す複写機要部の外観図である。
【図４】本発明の画像入力システムが実施されるクライアントＰＣの画面図である。
【図５】本発明の画像入力システムが実施されるクライアントＰＣの他の画面図である。
【図６】本発明の画像入力システムが実施されるクライアントＰＣの他の画面図である。
【図７】本発明の第１の実施例を示す複写機要部のプログラム構成図である。
【図８】本発明の第１の実施例を示す複写機要部の制御フロー図である。
【図９】本発明の第１の実施例を示す複写機要部のデータフロー図である。
【図１０】本発明の第２の実施例を示す複写機要部のプログラム構成図である。
【図１１】本発明の第２の実施例を示す複写機の画面図である。
【図１２】本発明の第３の実施例を示す複写機要部の制御フロー図である。
【符号の説明】
１  複写機
２  クライアントＰＣ
３  メールサーバー
４  文書管理サーバー
１１  スキャナ
１２  操作パネル
１３  ＣＰＵ
１６  画像読み取り部
１７  操作・表示部
１８  ネットワーク接続部
２１  ネットワークスキャナ制御モジュール
２２  ＴＷＡＩＮ制御モジュール
２３  読み取り制御モジュール
２４  転送プロトコル制御モジュール
２５  ネットワーク処理制御モジュール
２６  操作制御モジュール
２７  ユーザーＩＦ制御モジュール
２８  表示制御モジュール
２９  ＨＴＴＰ制御モジュール
３０  ＸＭＬ制御モジュール
３１  ＸＳＬＴ制御モジュール
【図１】
2004214719.tif 000003
【図２】
2004214719.tif 000004
【図３】
2004214719.tif 000005
【図４】
2004214719.tif 000006
【図５】
2004214719.tif 000007
【図６】
2004214719.tif 000008
【図７】
2004214719.tif 000009
【図８】
2004214719.tif 000010
【図９】
2004214719.tif 000011
【図１０】
2004214719.tif 000012
【図１１】
2004214719.tif 000013
【図１２】
2004214719.tif 000014